(57)【要約】【課題】足踏み式のごみ箱の蓋が鉛直状に開いた状態から、容易に閉じることのできるごみ箱を提供する。【解決手段】ごみ箱本体１の底面壁部14を下方から、足踏みペダルＰを有するシーソー帯体23の小突出部24を当接させて、底面壁部14を押上げて弾性変形させ、その弾性変形による弾発復元力Ｇを、蓋に伝達して、蓋を閉じる方向に動かす。【選択図】図５
2020158213.tif 000002
【特許請求の範囲】
【請求項１】
プラスチック製ごみ箱本体（１）と、該ごみ箱本体（１）の上方開口部（２）に付設されて上方へ観音開き自在な左右一対の蓋（３）（４）と、足踏みペダル（Ｐ）を有すると共に上記蓋（３）（４）を開くためのリンク手段（20）とを、備えたごみ箱に於て、
上記足踏みペダル（Ｐ）を足で踏んで最終踏込近傍状態では上記リンク手段（20）の一構成部品（21）の一部が上記ごみ箱本体（１）の底面壁部（14）に下方から当接して、該底面壁部（14）を弾性変形させ、該弾性変形に伴う弾発復元力（Ｇ）によって、上方観音開き状態の一対の上記蓋（３）（４）を閉じる方向（Ｍ３）（Ｍ４）に弾発付勢することを特徴とするごみ箱。
【請求項２】
上記一構成部品（21）は、上記底面壁部（14）の下方位置に配設されて上下揺動するシーソー帯体（23）から成り、
上記シーソー帯体（23）の前端に上記足踏みペダル（Ｐ）が付設され、
しかも、上記シーソー帯体（23）は、小突出部（24）を有し、該小突出部（24）が、上記底面壁部（14）に下方から当接して弾性変形させるように構成した請求項１記載のごみ箱。
【発明の詳細な説明】
【技術分野】
【０００１】
本発明は、ごみ箱に関する。
【背景技術】
【０００２】
従来、プラスチック製ごみ箱本体と、その上方開口部を開閉自在に閉じる（足踏みペダル作動の）プラスチック製の蓋を備えたごみ箱は公知である（特許文献１参照）。
【先行技術文献】
【特許文献】
【０００３】
【特許文献１】意匠登録第１６０３０５１号公報
【発明の概要】
【発明が解決しようとする課題】
【０００４】
前記蓋は、水平面状の閉状態から、足踏みペダルの踏込によって、しだいに開いてゆくが、蓋の開き角度が（例えば）７０°以下の傾斜状態であれば、足踏みペダルから足を離せば、蓋の自重によって、自然に閉状態に戻る。
【０００５】
しかしながら、プラスチック製の蓋は重量が小さく（軽量であり）、例えば上記７０°を越した場合、特にペダル最終踏込状態で９０°前後の略鉛直状態となると、足踏みペダルから足を離しても、蓋が閉じる方向に揺動しないという問題があった。また、蓋には、ごみの一部や汚れが付着していることが多いため、人の手で蓋に力を与えて閉じるように揺動させると、手が汚れる等の問題も生じていた。
【０００６】
そこで、本発明は、従来のこのような問題点を解決して、ごみ箱の軽量の蓋であっても、足踏みペダルから足を離せば、９０°前後の略鉛直状態（最終全開状態）を含む、開状態から、確実かつスムーズに、閉状態に復元するごみ箱を提供することを目的とする。
【課題を解決するための手段】
【０００７】
本発明は、プラスチック製ごみ箱本体と、該ごみ箱本体の上方開口部に付設されて上方へ観音開き自在な左右一対の蓋と、足踏みペダルを有すると共に上記蓋を開くためのリンク手段とを、備えたごみ箱に於て、上記足踏みペダルを足で踏んで最終踏込近傍状態では上記リンク手段の一構成部品の一部が上記ごみ箱本体の底面壁部に下方から当接して、該底面壁部を弾性変形させ、該弾性変形に伴う弾発復元力によって、上方観音開き状態の一対の上記蓋を閉じる方向に弾発付勢するように構成した。
また、上記一構成部品は、上記底面壁部の下方位置に配設されて上下揺動するシーソー帯体から成り、上記シーソー帯体の前端に上記足踏みペダルが付設され、しかも、上記シーソー帯体は、小突出部を有し、該小突出部が、上記底面壁部に下方から当接して弾性変形させるように構成したものである。
【発明の効果】
【０００８】
本発明に係るごみ箱によれば、小型コイルバネや挾みバネ等の部品を特別に付加することなく、蓋体を略鉛直状態からスムーズに閉じることが可能である。従って、上記小型コイルバネや板バネ等の離脱・紛失による故障も心配なく、長期間にわたって使用できる。また、大きな面積の底面壁部は立体的に弾性変形して、十分な弾発復元力を発揮して、略鉛直状に開いた一対の蓋を、確実に閉じることができると共に、故障が発生し難く、長寿命となる。
【０００９】
さらに、上方へ観音開きする左右一対の蓋の各々は、自重が半分であり、枢支点から重心までの腕の長さが小さく、開状態から閉状態への復元モーメントが小さいにかかわらず、前記弾発復元力によって、確実かつスムーズに閉じることができる。あるいは、左右一対の各蓋を肉薄軽量化も可能となる。要するに、上方観音開き式の蓋に好適であるといえる。そして、略鉛直状に開いた蓋を、人の手にて閉じてやる必要もなくなって、衛生上も好ましい。
【図面の簡単な説明】
【００１０】
【図１】本発明の実施の一形態を示す斜視図であって、（Ａ）は蓋が略鉛直状に開いた状態の全体斜視図、（Ｂ）は要部拡大斜視図である。
【図２】蓋が閉じた状態の全体斜視図である。
【図３】リンク手段の一例を示す説明図であって、（Ａ）は一部破断側面説明図、（Ｂ）は（Ａ）の（ｂ部）の拡大斜視説明図である。
【図４】小突出部の異なる実施例を示した斜視図である。
【図５】底面壁部が弾性変形を起こす作用を説明した一部断面側面図である。
【図６】上方へ観音開きする左右一対の蓋の作動を説明する一部断面正面図である。
【図７】左右一対の蓋が順次閉じてゆく作動を示す一部断面正面図である。
【図８】シーソー帯体の一実施例を示す平面図である。
【発明を実施するための形態】
【００１１】
以下、図示の実施の形態に基づき本発明を詳説する。
図１，図２及び図５に於て、１はプラスチック製のごみ箱本体であり、このごみ箱本体１は、平面視矩形状の上方開口部２を有する。つまり、ごみ箱本体１は、前面壁部11と左右側面壁部12，12と後面壁部13と底面壁部14とを有し、底部から上方へゆくにしたがって、僅かに左右・前後寸法が増加するように、各面壁部11，12，13は、上方外方に傾斜状であり、ごみ箱本体１の全体は、左右幅寸法よりも前後寸法が長目の略直方体である。
【００１２】
このようなごみ箱本体１の平面視矩形状の上方開口部２には、上方へ観音開き自在として、左右一対の蓋３，４が、枢着されている。
また、前面壁部11の下縁は、後方へ凹状として、後退壁面11Ａが形成され、さらに、この後退壁面11Ａには足踏みペダルＰが配設される。つまり、ごみ箱本体１の前面下方位置に、足踏みペダルＰが、突出状に設けられている。
また、上記ペダルＰと左右の蓋３，４とを連動連結して、ペダルＰを足で踏込めば、蓋３，４を開くことが可能なようにリンク手段20が設けられている（図３，図５参照）。
【００１３】
ところで、図２（と図１）に示したように、閉状態で左右の蓋３，４が相互に部分的に重なり合う内端縁３Ａ，４Ａを除いて、蓋３，４の上面に略一致するように、前面壁部11
・後面壁部13の各上端面11Ｂ，13Ｂの高さ位置を、設定している。
【００１４】
即ち、前面壁部11・後面壁部13の上端縁を、「門型」（チャンネル型）等に折曲げた形状として、補強部11Ｃ，13Ｃを設け、その補強部11Ｃ，13Ｃの上面を前記上端面11Ｂ、13Ｂとする。
【００１５】
図６，図７に示した左蓋３の枢支軸５、及び、右蓋４の枢支軸６は、前記補強部11Ｃ，13Ｃ（図１，図２参照）の小孔に枢着され、上方へ観音開き状に揺動して開くことができる。
そして、足踏みペダルＰを人の足で踏んで、最終踏込近傍状態で、前記リンク手段20の一構成部品21の一部が、ごみ箱本体１の底面壁部14に下方から当接して、底面壁部14を（突上方向に）弾性変形させる。
【００１６】
具体的には、図３，図４，図８に示すように、底面壁部14の下方位置（近傍）に配設されたシーソー帯体23をもって、上記一構成部品21とする。即ち、枢着軸23Ａにて、シーソー帯体23は、ごみ箱本体１の底面壁部14の下方部位に、上下揺動自在に枢着されたシーソー帯体23をもって、上記一構成部品21としている。このシーソー帯体23の前端には、足踏みペダルＰが、付設され、このペダルＰは、水平状使用状態と、上方へ揺動した起立状折畳状態に、切替可能であり、図２に示したごみ箱本体１の後退壁面11Ａによって形成された（左右帯状の）凹所内に、折畳状態のペダルＰは収納されて、コンパクト化を図り、邪魔な突出部を無くすことができる。
【００１７】
そして、シーソー帯体23は、図４（Ａ）及び図３，図５，図８に示すような小突出部24を有し、しかも、この小突出部24の配設位置は、長手方向中央近傍の枢着軸23Ａよりも後端23Ｂ方向に少し寄った位置である。さらに具体的には、小突出部24は、幅方向中央線上であって、かつ、枢着軸23Ａの在る中央位置から僅かに後方の位置に於て、上方へ突設されている。この小突出部24が、ごみ箱本体１の底面壁部14に下方から当接して弾性変形させることができる。
【００１８】
また、図８と図４（Ａ）に示すように、小突出部24の形状は、左右一文字状小突片24Ａと、その小突片24Ａの倒れを防止する前後各２枚の三角補強片24Ｂ，24Ｂから成る。あるいは、図４（Ｂ）に示すように、肉厚が下方へゆくにしたがって増加する左右一文字状小突片24Ａのみとすることもできる。または、図４（Ｃ）に示した丸山型にすることも、可能である。ところで、小突出部24は、シーソー帯体23とプラスチックにて一体成形するのが望ましい。つまり、小さな小突出部24が離脱する等の不具合が生じにくいという効果を奏するためである。なお、図示以外の上方突出状形状とすることも自由である。
【００１９】
そして、前記リンク手段20の全体的構造及び作用につき、以下説明する。
図１，図３，図５，図６，図８に於て、リンク手段20は、ペダルＰと、このペダルＰを前端に有するシーソー帯体23と、このシーソー帯体23の後端の軸部23Ｃに、下端30Ａが枢結された昇降連動帯体30と、この昇降連動帯体30の上端30Ｂの左右に前方突出状として設けられた係合突出子（ダボ）30Ｃ，30Ｄに係合するように、蓋３，４の内面に突設されたリング体８等から、構成されている。
【００２０】
このように構成されている上記リンク手段20の一構成部品21であるシーソー帯体23の一部（小突出部24）が、ごみ箱本体１の大面積の底面壁部14に下方から当接して、弾性変形させ（三次元の立体的弾性変形を起こし）、この弾性変形に伴った弾発復元力Ｇ（図５（Ｃ）参照）は、リンク手段20の昇降連動帯体30と係合突出子30Ｃ、30Ｄとリング体８，８を介して、上方観音開き状態の一対の蓋体３，４を、図６（Ｃ）の点線矢印にて示した閉じる方向Ｍ３，Ｍ４に、弾発付勢する。なお、Ｎ30は、昇降連動帯体30が、蓋３，４を閉じるために作用する下降付勢力を示す。
なお、ごみ箱本体１の底面壁部14の下方には、シーソー帯体23が、小角度の上下揺動できる空間部を形成するために、垂下壁部９，９が一体に設けられている（図５参照）。
【００２１】
また、図３（Ｂ）と図６（Ｃ）に示すように、昇降連動帯体30の上端30Ｂには、片持梁状アーム30Ｅ，30Ｅが（左右外方へ）突出状に形成されており、その先端に、前記係合突出子30Ｃ，30Ｄが一体に付設される。また、図１でも明らかなように、上記係合突出子30Ｃ，30Ｄが差込まれて係合するリング体８は、左右各蓋３，４の内面であって、後方かつ下方の隅部に、突出状として、一体に形成されている。
【００２２】
次に、本発明の実施形態では、図６と図７に示すように、左蓋３と右蓋４では、特に、閉鎖状態に近い小角度の開き状態下で、左右の開き角度に差を与えている。言い換えると、左右対称に開閉させずに、僅かに差動する機構を備える。
【００２３】
図１，図２、及び、図６，図７に示すように、一方の蓋３の内端縁３Ａには、上方開口状凹所31が設けられ、他方の蓋４の内端縁４Ａには、下方開口状凹所32が設けられている。そして、相互に凹所31，32が蓋閉鎖状態で噛み合うように重なる。しかも、他方の蓋４の内端縁４Ａには、蓋全体の平面よりも上方突出状に、倒立カップ型乃至門型の横断面の突隆部33が形成され、上記凹所32は、この突隆部33にて形成されているといえる。
【００２４】
図７に於て、（Ａ）（Ｂ）（Ｃ）のように、中間開状態から、順次閉じていって、最終的に全閉状態となることを示しているが、左蓋３が先に閉じるように下方へ揺動し、右蓋４が後から追っかける如く下方へ揺動し、もって、両蓋３，４が相互に衝突することを避けている。図７（Ａ）（Ｂ）（Ｃ）から判るように、このような差動を生じさせるために、左の係止突出子（ダボ）30Ｃよりも、右の係止突出子（ダボ）30Ｄの上下位置を高く設定する。
このように左右の係止突出子30Ｃ，30Ｄの上下に差を設けることで、両蓋３，４の内端縁３Ａ，４Ａが衝突せずに、スムーズな開閉作動───特に閉じる作動───を実現している。
【００２５】
なお、上述の差動を起こすために、左蓋３のリング体８と、右蓋４のリング体８の形状を相違させ、又は、左右リング体８，８の枢支軸５，６からの距離に大小差を与えるも好ましい（図示省略）。
なお、左右蓋３，４の形状については、図示以外のものとするも自由である。さらには、左右蓋３，４を差動させないで同時に開閉可能として、内端縁３Ａ，４Ａが（閉状態下で）重ならない形状とすることもできる。
【００２６】
本発明は、以上詳述したように、プラスチック製ごみ箱本体１と、該ごみ箱本体１の上方開口部２に付設されて上方へ観音開き自在な左右一対の蓋３，４と、足踏みペダルＰを有すると共に上記蓋３，４を開くためのリンク手段20とを、備えたごみ箱に於て、上記足踏みペダルＰを足で踏んで最終踏込近傍状態では上記リンク手段20の一構成部品21の一部が上記ごみ箱本体１の底面壁部14に下方から当接して、該底面壁部14を弾性変形させ、該弾性変形に伴う弾発復元力Ｇによって、上方観音開き状態の一対の上記蓋３，４を閉じる方向Ｍ３，Ｍ４に弾発付勢する構成であるので、別途、故障や離脱しやすい小型コイルバネや挾みバネを用いずに済み、故障の発生しない長寿命のごみ箱が容易に製造可能となる。
【００２７】
また、軽量なプラスチック製の蓋３，４であっても、略鉛直状態からスムーズに閉じることができる。
特に、大きな面積の底面壁部14を三次元的に弾性変形させるため、十分に大きな弾発復元力Ｇを発揮して、略鉛直状に開いた蓋３，４を確実にスムーズに閉じることができ、故障も生じ難く、耐久性にも優れる。
さらに、上方へ観音開きする左右一対の蓋３，４は、閉じる方向への復元モーメントが、（一枚の蓋に比較して）約半分と小さいため、略９０°近傍（略鉛直状）から容易に閉じようとせずに、停止する虞れがあったが、本発明では、特にこのような上方観音開きタイプのごみ箱に有効である。また、人の手が汚れることを防止できる。
【００２８】
また、上記一構成部品21は、上記底面壁部14の下方位置に配設されて上下揺動するシーソー帯体23から成り、上記シーソー帯体23の前端に上記足踏みペダルＰが付設され、  しかも、上記シーソー帯体23は、小突出部24を有し、該小突出部24が、上記底面壁部14に下方から当接して弾性変形させるように構成したので、シーソー帯体23は底面壁部14に対して、最も円滑に当接し、底面壁部14の弾性変形による弾発復元力Ｇを高効率に活用可能であり、構造上も小突出部24の付加のみで済み、製造が容易かつコストアップもほとんど無いといえる。
【符号の説明】
【００２９】
１  ごみ箱本体
２  上方開口部
３，４  蓋
14  底面壁部
20  リンク手段
21  一構成部品
23  シーソー帯体
24  小突出部
Ｇ  弾発復元力
Ｐ  足踏みペダル
Ｍ３，Ｍ４  矢印（閉じる方向）
【図１】
2020158213.tif 000003
【図２】
2020158213.tif 000004
【図３】
2020158213.tif 000005
【図４】
2020158213.tif 000006
【図５】
2020158213.tif 000007
【図６】
2020158213.tif 000008
【図７】
2020158213.tif 000009
【図８】
2020158213.tif 000010